【手続補正書】
【提出日】平成27年11月19日(2015.11.19)
【手続補正１】
【補正対象書類名】特許請求の範囲
【補正対象項目名】全文
【補正方法】変更
【補正の内容】
【特許請求の範囲】
【請求項１】
複数の医療撮像手順についての情報を収集し利用する方法であって、
医療撮像手順を実行すべき被験患者についての情報を受信することと、
複数の手順記録を含むデータベースにアクセスすることであって、前記手順記録は、複数の情報源から収集された複数の医療撮像手順についての情報を含み、前記手順記録のそれぞれは、前に実行された医療撮像手順に対応し、前記手順記録のそれぞれは、前記医療撮像手順についての客観的情報と、前記医療撮像手順の結果の主観的評価とを含み、前記客観的情報は、少なくとも、前記医療撮像手順を受けた前記患者についての情報と、前記医療撮像手順に使用されたプロトコールについての情報とを含む、アクセスすることと、
推奨プロトコールを決定することであって、前記推奨プロトコールは、前記被験患者についての前記情報と、前記複数の手順記録に含まれる前記客観的情報及び前記主観的評価との検討に基づいて決定される、決定することと、
前記推奨プロトコールを視覚的に知覚可能な形態で提示することと、
前記推奨プロトコール及び前記推奨プロトコールの変更のうちの一方に従って、前記被験患者に対して前記医療撮像手順を実行することと、
前記被験患者に対して実行された前記医療撮像手順の結果の主観的評価を提供することと、
前記被験患者に対して実行された前記医療撮像手順についての客観的情報と、前記被験患者に対して実行された前記医療撮像手順の前記結果の前記主観的評価とを収集することと、
前記被験患者に対して実行された前記医療撮像手順についての前記客観的情報と、前記被験患者に対して実行された前記医療撮像手順の前記結果の前記主観的評価とを含む被験患者手順記録を形成することと、
前記被験患者手順記録を前記データベースに記憶することと、
を含む、方法。
【請求項２】
前記情報源は複数の医療撮像装置を含む、請求項１に記載の方法。
【請求項３】
前記情報源は、前記医療撮像手順の１つに関連付けられたデジタル化された画像又は文書を含む少なくとも１つの医療記録システムを含む、請求項１に記載の方法。
【請求項４】
前記情報源は、複数の医療撮像装置と、少なくとも１つの医療記録システムとを含む、請求項１に記載の方法。
【請求項５】
前記医療記録システムから情報を収集することは、光学文字認識処理及び自然言語処理のうちの少なくとも一方を使用して前記画像又は前記文書から情報を抽出することを含む、請求項３に記載の方法。
【請求項６】
前記データベースに記憶された前記情報をデータ報告・解析アプリケーションに転送することを更に含み、前記データ報告・解析アプリケーションは、前記データベースに記憶された前記情報に基づいて１つ又は複数のリポートを生成する、請求項１に記載の方法。
【請求項７】
前記医療撮像手順の前記結果の前記主観的評価は、前記医療撮像手順の前記結果の品質に関連する個人の意見である、請求項１に記載の方法。
【請求項８】
前記手順記録の少なくとも一部について、前記医療撮像手順についての前記客観的情報及び前記医療撮像手順の前記結果の前記主観的評価が収集される前記情報源は異なる、請求項１に記載の方法。
【請求項９】
前記手順記録の少なくとも一部について、前記医療撮像手順についての前記客観的情報及び前記医療撮像手順の前記結果の前記主観的評価が収集される前記情報源は同じである、請求項１に記載の方法。
【請求項１０】
前記情報源の少なくとも１つは医療撮像装置であり、前記医療撮像装置は、医療撮像手順を実行し、前記医療撮像手順の電子リポートを生成し、前記医療撮像手順の前記結果の前記主観的評価は、前記電子リポートに入力され、前記電子リポートの部分として記録される、請求項１に記載の方法。
【請求項１１】
前記主観的評価は、前記医療撮像装置に関連付けられたユーザインタフェースにおいて前記電子リポートに入力される、請求項１０に記載の方法。
【請求項１２】
前記主観的評価は、コンピュータワークステーションにおいて前記電子リポートに入力される、請求項１０に記載の方法。
【請求項１３】
前記電子リポートは、予め定義される属性フィールドのセットを含むように構造化され、前記主観的評価は、前記予め定義される属性フィールドの１つに入力される、請求項１０に記載の方法。
【請求項１４】
被験患者に対して実行する医療撮像手順において使用されるプロトコールを決定する方法であって、
前記被験患者についての人口統計情報を受信することと、
複数の手順記録を含むデータベースにアクセスすることであって、前記手順記録のそれぞれは、前に実行された撮像手順に対応し、前記手順記録のそれぞれは、前記撮像手順についての客観的情報と、前記撮像手順の結果の主観的評価とを含み、前記客観的情報は、少なくとも、前記撮像手順を受けた前記患者についての情報と、前記撮像手順に使用されたプロトコールについての情報とを含む、アクセスすることと、
推奨プロトコールを決定することであって、前記推奨プロトコールは、前記被験患者についての前記情報と、前記データベースに含まれる前記客観的情報及び前記主観的評価との検討に基づいて決定される、決定することと、
前記推奨プロトコールを視覚的に知覚可能な形態で提示することと、
を含む、方法。
【請求項１５】
前記推奨プロトコールを変更することを更に含む、請求項１４に記載の方法。
【請求項１６】
医療撮像手順を実行すべき第２の被験患者についての情報を受信することと、
前記データベースにアクセスすることであって、前記データベースは前記被験患者手順記録を更に含む、アクセスすることと、
第２の推奨プロトコールを決定することであって、前記第２の推奨プロトコールは、前記第２の被験患者の前記情報と、前記被験患者手順記録に含まれる前記客観的情報及び前記主観的評価を含む、前記複数の記録に含まれる前記客観的情報及び前記主観的評価との検討に基づいて決定される、決定することと、
を更に含む、請求項１に記載の方法。
【請求項１７】
複数の医療撮像装置であって、それぞれが、前記医療撮像装置に提供される撮像プロトコールに従って医療撮像手順を実行するように構成される複数の医療撮像装置と、
１つ又は複数のプロトコール管理アプリケーションであって、前記プロトコール管理アプリケーションのそれぞれは、前記医療撮像装置の１つ又は複数と電子通信し、前記撮像プロトコールを前記医療撮像装置に送るように構成される、１つ又は複数のプロトコール管理アプリケーションと、
前記プロトコール管理アプリケーションのそれぞれと電子通信するデータベースであって、複数の手順記録を備え、前記手順記録のそれぞれは、少なくとも、過去の医療撮像手順で使用されたパラメータについての情報及び前記過去の医療撮像手順を受けた患者についての情報を含む前記過去の医療撮像手順についての客観的情報と、前記過去の医療撮像手順の結果の主観的評価とを含む、データベースと、
を備え、
前記データベースは複数の情報源と電子通信し、前記複数の情報源は、前記医療撮像手順についての客観的情報及び前記医療撮像手順の前記結果の主観的評価を前記データベースに提供するように構成される、医療撮像システム。
【請求項１８】
前記情報源は少なくとも１つの医療記録システムを含む、請求項１７に記載の医療撮像システム。
【請求項１９】
被験患者に対して実行すべき医療撮像手順で使用されるプロトコールを決定する分散システムであって、
データベースへのアクセスを有するサーバであって、前記データベースは複数の手順記録を含み、前記手順記録のそれぞれは、過去の撮像手順に対応し、前記手順記録のそれぞれは、前記過去の撮像手順についての客観的情報と、前記過去の撮像手順の結果の主観的評価とを含み、前記客観的情報は、少なくとも、前記撮像手順を受けた患者についての情報と、前記過去の撮像手順に使用されたプロトコールについての情報とを含む、サーバと、
それぞれが前記サーバと電子通信する１つ又は複数のクライアントであって、医療撮像装置と電子通信するプロトコール管理アプリケーションを実行するように構成される、１つ又は複数のクライアントと、
を備え、
前記クライアントのそれぞれについて、前記プロトコール管理アプリケーションは、（ａ）前記医療撮像手順を実行すべき前記被験患者についての情報を前記クライアントから受信することと、（ｂ）前記クライアントから受信される前記被験患者の前記情報と、前記データベースからアクセスされる前記複数の記録に含まれる前記客観的情報及び前記主観的評価との検討に基づいて、推奨プロトコールを決定することと、（ｃ）前記推奨プロトコールを前記医療撮像装置に送り、それにより、前記クライアントのオペレータが、前記推奨プロトコール及び前記推奨プロトコールの変更のうちの一方に従って前記医療撮像手順を前記被験患者に対して実行できるようにすることと、を実行するように構成される、分散システム。
【請求項２０】
前記クライアントのそれぞれについて、前記プロトコール管理アプリケーションは、（ｉ）前記オペレータが、前記被験患者に対して実行された前記医療撮像手順の結果の主観的評価を行えるようにすることと、（ｉｉ）前記被験患者に対して実行された前記医療撮像手順についての客観的情報を収集することと、（ｉｉｉ）被験患者手順記録を形成することであって、前記複数の被験患者手順記録は、前記被験患者に対して実行された前記医療撮像手順についての前記客観的情報と、前記被験患者に対して実行された前記医療撮像手順の前記結果の前記主観的評価とを含む、形成することと、（ｉｖ）前記被験者患者手順記録を前記データベースに記録することとを実行するように更に構成される、請求項１９に記載の分散システム。